(57)【要約】【課題】静電霧化装置を備えた空調装置において、空調装置の吹き出し口におけるオゾン濃度を適正化して人体への影響を無くしつつ帯電微粒子水の放出量を適正化することができる静電霧化装置を備えた空調装置を提供する。【解決手段】空気が熱交換部２を通過して吹き出し口３から室内に吹き出す空調装置１に、放電電極５と、放電電極５に水を供給する水供給手段６と、高電圧を印加して放電電極５に供給された水を静電霧化して帯電微粒子水を発生するための高電圧印加手段７とを有する静電霧化装置８を備える。静電霧化装置８で発生させた帯電微粒子水を送風路９内を流れる空気流に載せて送風路９の室内への吹き出し口３から室内に放出する。空調装置１の運転時における吹き出し口３から室内に放出されるオゾン濃度を適正濃度となるように制御する制御手段１０を設ける。【選択図】図１
2010223553.tif 000002
【特許請求の範囲】
【請求項１】
空気が熱交換部を通過して吹き出し口から室内に吹き出す空調装置に、放電電極と、放電電極に水を供給する水供給手段と、高電圧を印加して放電電極に供給された水を静電霧化して帯電微粒子水を発生するための高電圧印加手段とを有する静電霧化装置を備え、
静電霧化装置で発生させた帯電微粒子水を送風路内を流れる空気流に載せて送風路の室内への吹き出し口から室内に放出するものであって、空調装置の運転時における吹き出し口から室内に放出されるオゾン濃度を適正濃度となるように制御する制御手段を設けて成ることを特徴とする静電霧化装置を備えた空調装置。
【請求項２】
上記吹き出し口からの風量に対して放電電流値を制御することを特徴とする請求項１記載の静電霧化装置を備えた空調装置。
【請求項３】
上記送風路内の風速に対して放電電流値を制御することを特徴とする請求項１記載の静電霧化装置を備えた空調装置。
【請求項４】
上記空調装置における風速調整に対して放電電流値を制御することを特徴とする請求項１記載の静電霧化装置を備えた空調装置。
【請求項５】
上記空調装置の送風路の吸込み口からの空気の吸入が室内空気の取り入れと室外空気の取り入れとを切り替え自在としたものであり、該吸込み口から空気の吸込み状況に対して放電電流値を制御することを特徴とする請求項１記載の静電霧化装置を備えた空調装置。
【請求項６】
上記吹き出し口のオゾン濃度に対して放電電流値を制御することを特徴とする請求項１記載の静電霧化装置。
【請求項７】
上記放電電流値の制御方法が高電圧値にて行うことを特徴とする請求項２乃至請求項６のいずれか一項に記載の静電霧化装置を備えた空調装置。
【請求項８】
上記放電電流値の制御方法が高電圧印加の時間にて行うことを特徴とする請求項２乃至請求項６のいずれか一項に記載の静電霧化装置を備えた空調装置。
【発明の詳細な説明】
【技術分野】
【０００１】
本発明は、水を静電霧化させてナノメータサイズの帯電微粒子水を発生させる静電霧化装置を備えた空調装置に関するものである。
【背景技術】
【０００２】
従来から、水を静電霧化してナノメータサイズの帯電微粒子水を発生させる静電霧化装置が知られている。
【０００３】
静電霧化装置は、放電電極と、放電電極を冷却して表面に水を結露させて放電電極に水を供給する冷却手段と、放電電極に高電圧を印加する高電圧印加手段とを備えたもので、放電電極に高電圧を印加することで、放電電極に供給された水を静電霧化してナノメータサイズの帯電微粒子水を発生させるようになっている。
【０００４】
静電霧化装置から発生するナノメータサイズの帯電微粒子水には、ＯＨラジカル等のラジカルが含まれており、菌、ウイルスなどの不活性化、脱臭作用があり、空質改善に対して有効であるが、同時に空気放電により発生するオゾンに関しては個人差があるが、その臭いに対して不快感を与える場合がある。また、濃度に関しても環境基準等で規制されているようにある一定の濃度を超えると人体に対して有害となる。
【０００５】
そこで、静電霧化装置にファンを設け、放電電流の目標値をファンの風量に応じて変更させることで、静電霧化装置の放出口から放出するオゾン濃度を適正な値にして放出するものが特許文献１により知られている。
【０００６】
この特許文献１に示された静電霧化装置は、単独で室内に設置して静電霧化装置の放出口から室内に直接帯電微粒子水を放出する場合は、放出口から放出されるオゾン濃度が臭いがせず且つ人体に悪影響を与えない適性な値になっているので、オゾン濃度が高くならないようにすることができて有効であるが、該静電霧化装置を、空調装置に組み込んで使用する場合は、以下のような問題点がある。
【０００７】
つまり、空調装置の送風路内に静電霧化装置で発生した帯電微粒子水を放出して送風路内を流れる空気流に載せて、送風路の吹き出し口から室内に帯電微粒子水を室内に放出するものであるから、静電霧化装置で発生するオゾンが静電霧化装置の放出口で適正な濃度となるように制御して送風路内に放出したとしても、これが送風路内を流れる空調空気に混合され、送風路の吹き出し口から室内に放出される際は、送風路内を流れる空調空気に薄められてオゾン濃度が上記適性濃度よりも更に低下する。
【０００８】
このことは、もっと放電できる（発生源である静電霧化装置ではもっとオゾン濃度を増やすことができる）のに、放電を低減させて、帯電微粒子水の発生量まで低減させてしまい、結果的に、空調装置の吹き出し口から空気流に乗せて放出される帯電微粒子水の放出量が少なく、脱臭、除菌等の効果を向上させることができないという問題がある。
【０００９】
更に、空調装置は風量を変化させることが出来るようになっているが、静電霧化装置を組み込んだ空調装置において、風量が変わると空調装置の吹き出し口のオゾン濃度は変化する。
【００１０】
そこで、空調装置の吹き出し口におけるオゾン濃度を適正化して人体への影響を無くすと共に帯電微粒子水の放出量をできるだけ増大することが望まれているのが現状であり、特に、車のように室内が狭く、空調装置の吹き出し口の前に長時間人が座ってオゾンを浴びるような場合にはこの問題を解決することが強く望まれている。
【先行技術文献】
【特許文献】
【００１１】
【特許文献１】特開２００６−２４７４７８号公報
【発明の概要】
【発明が解決しようとする課題】
【００１２】
本発明は上記の従来の問題点に鑑みて発明したものであり、静電霧化装置を備えた空調装置において、空調装置の吹き出し口におけるオゾン濃度を適正化して人体への影響を無くしつつ帯電微粒子水の放出量を適正化することができる静電霧化装置を備えた空調装置を提供することを課題としている。
【課題を解決するための手段】
【００１３】
上記課題を解決するために、本発明は、以下のような構成になっている。
【００１４】
本発明の静電霧化装置８を備えた空調装置１は、空気が熱交換部２を通過して吹き出し口３から室内に吹き出す空調装置１に、放電電極５と、放電電極５に水を供給する水供給手段６と、高電圧を印加して放電電極５に供給された水を静電霧化して帯電微粒子水を発生するための高電圧印加手段７とを有する静電霧化装置８を備え、静電霧化装置８で発生させた帯電微粒子水を送風路９内を流れる空気流に載せて送風路９の室内への吹き出し口３から室内に放出するものである。本発明の特徴とするところは、空調装置１の運転時における吹き出し口３から室内に放出されるオゾン濃度を適正濃度となるように制御する制御手段１０を設けて成ることである。
【００１５】
このような構成とすることで、静電霧化装置８で発生した帯電微粒子水を空調装置１の送風路９内を流れる空調空気の空気流に載せて送風路９の吹き出し口３から室内に放出して、室内を空調できると共に室内の脱臭、除菌、アレルゲン物質の不活性化を図ることができる。しかも、空調装置１の送風路９内を流れる空調空気の空気流に載せて送風路９の吹き出し口３から室内に放出するに当り、吹き出し口３から室内に放出するオゾン濃度をオゾン臭がせず且つ人体に悪影響を与えない濃度以下の適正濃度にして放出できて、吹き出し口３の前にいる人へのオゾンの影響を無くすことができる。しかも、このように、空調装置１の吹き出し口３から室内に放出するオゾン濃度を適正濃度にするので、発生源である静電霧化装置８において放電を高めることができて、帯電微粒子水の発生量を増やし、空調装置の吹き出し口から空調空気の空気流に乗せて放出される帯電微粒子水の放出量を多くして、帯電微粒子水による室内における脱臭、除菌等の効果を向上させることができる。
【００１６】
また、上記吹き出し口３からの風量に対して放電電流値を制御することが好ましい。
【００１７】
このように空調装置１の吹き出し口３からの風量に対して放電電流値を制御することで、簡単に空調装置１の吹き出し口３から室内に放出されるオゾン濃度を適正化しつつ帯電微粒子の発生量を適正化することができる。
【００１８】
また、上記送風路９内の風速に対して放電電流値を制御することが好ましい。
【００１９】
送風路９内の風速により空調装置１の吹き出し口３から吹き出される空調空気の風量が変化するので、送風路９内の風速を求めて放電電流値を制御することで、簡単に空調装置１の吹き出し口３から室内に放出されるオゾン濃度を適正化しつつ帯電微粒子の発生量を適正化することができる。
【００２０】
また、上記空調装置１の風速調整に対して放電電流値を制御することが好ましい。
【００２１】
このように空調装置１の風速調整に応じて放電電流値を制御することで、簡単に空調装置１の吹き出し口３から室内に放出されるオゾン濃度を風速（風量）調整部２７の切り換えに対応した適正な濃度にできて、吹き出し口３から室内に放出されるオゾン濃度を適正化しつつ帯電微粒子の発生量を適正化することができる。
【００２２】
また、上記空調装置１の送風路９の吸込み口１２からの空気の吸入が室内空気の取り入れと室外空気の取り入れとを切り替え自在としたものであり、該吸込み口１２から空気の吸込み状況に対して放電電流値を制御することが好ましい。
【００２３】
空調装置１の吹き出し口３から空調空気の空気流に載せて帯電微粒子水を室内に放出するに当たり、室内空気を循環させる場合と、室外空気を取り入れて空調して室内に放出する場合とで、吸込み口１２から取り入れる空気中のオゾン濃度が異なるので、各々の場合に応じた放電電流値とすることで、各々の場合に最適の制御で吹き出し口３から室内に放出されるオゾン濃度を適正化しつつ帯電微粒子の発生量を適正化することができる。
【００２４】
また、上記吹き出し口３のオゾン濃度に対して放電電流値を制御することが好ましい。
【００２５】
このような構成とすることで、吹き出し口３のオゾン濃度を測定し、これに基づいて放電電流値を制御することで、簡単に吹き出し口３のオゾン濃度を適正化しつつ帯電微粒子の発生量を適正化することができる。
【００２６】
また、上記放電電流値の制御方法が高電圧値にて行うことが好ましい。
【００２７】
このように放電電流値の制御を高電圧値で行うことで、簡単にオゾン濃度を適正化しつつ帯電微粒子の発生量を適正化する制御ができる。
【００２８】
また、上記放電電流値の制御方法が高電圧印加の時間にて行うことが好ましい。
【００２９】
このように放電電流値の制御を高電圧印加の時間にて行うことで、簡単にオゾン濃度を適正化しつつ帯電微粒子の発生量を適正化する制御ができる。
【発明の効果】
【００３０】
本発明は、静電霧化装置を備えた空調装置において、上記のように構成したので、静電霧化装置で発生した帯電微粒子水を空調装置の送風路内を流れる空調空気の空気流に載せて送風路の吹き出し口から室内に放出して帯電微粒子水で室内の空調を行うと同時に室内の脱臭、除菌、アレルゲンの不活性化を行うに当たり、吹き出し口から室内に放出するオゾン濃度を適正濃度にして放出できて、吹き出し口の前にいる人へのオゾンの影響を無くすことができると共に、放電を増加して帯電微粒子水の室内への放出量をできるだけ適正化することができる。
【図面の簡単な説明】
【００３１】
【図１】本発明の静電霧化装置を備えた空調装置の一実施形態の概略構成図である。
【図２】同上の静電霧化装置を備えた空調装置の他の実施形態の概略構成図である。
【図３】同上の静電霧化装置を備えた空調装置の更に他の実施形態の概略構成図である。
【図４】同上に用いる静電霧化装置の概略構成図である。
【図５】同上の空調装置の風量と吹き出し口のオゾン濃度の関係を示すグラフである。
【図６】同上の静電霧化装置における放電電流量とオゾン量の関係を示すグラフである。
【図７】同上の空調装置の送風量と静電霧化装置の放電電流値の関係を示すグラフである。
【発明を実施するための形態】
【００３２】
以下、本発明を添付図面に示す実施形態に基いて説明する。
【００３３】
本発明の空調装置１は静電霧化装置８を備えたものである。図１にはこの静電霧化装置８を備えた空調装置１の一実施形態が示してある。
【００３４】
図１に示す実施形態は静電霧化装置８を備えた空調装置１として車載用の空調装置１が例示してある。
【００３５】
送風路９の上流側端部に吸込み口１２を設けると共に下流側端部に吹き出し口３を設けたもので、図１に示す実施形態では車載用であるため下流側端部が複数に分岐していて複数の吹き出し口３を設けてある。
【００３６】
この送風路９には上流側から下流側にかけて順にブロアモータのような送風手段１３、フィルタ１４、熱交換部２としてのエバポレータが設けてあり、送風手段１３を駆動することで、吸込み口１２から送風路９内に吸込み、熱交換部２で目的とする温度の空調空気にして吹き出し口３から室内に放出することで、室内の空調を行うようになっている。
【００３７】
ここで、上記空調装置１の制御は空調コントローラ１１で行うもので、空調コントローラ１１にはオン・オフスイッチ（図示せず）、風速（風量）調整部２７、温度調整部（図示せず）等が設けてある。空調コントローラ１１に設けた風速（風量）調整部２７を操作することで、風速（風量）を調整できるようになっており、風速（風量）調整部２７を操作することで送風手段１３の回転数を変えて吹き出し口３から室内に放出する空調空気の風速（風量）を調整するようになっている。
【００３８】
上記空調装置１に付設する静電霧化装置８は、放電電極５と、該放電電極５を冷却して空気中の水分を該放電電極５に結露させることにより放電電極５に水を供給する水供給手段６と、放電電極５の水に高電圧を印加する高電圧印加手段７とを備えている。
【００３９】
図４は静電霧化装置８の概略構成図を示している。
【００４０】
添付図面に示す実施形態において、放電電極５を冷却するための水供給手段６はペルチェユニット６ａにより構成してある。
【００４１】
ペルチェユニット６ａは、熱伝導性の高いアルミナや窒化アルミニウムから成る絶縁板の片面側に回路を形成した一対のぺルチェ回路板１５を、互いの回路側が向い合うように対向させ、多数列設してある熱電素子１６を両ぺルチェ回路板１５間で挟持するとともに隣接する熱電素子１６同士を両側の回路で電気的に接続させ、ぺルチェ入力リード線１７を介して為される電源供給手段３５から熱電素子１６への通電により一方のぺルチェ回路板１５側から他方のぺルチェ回路板１５側に向けて熱が移動するように構成したものである。
【００４２】
図４の実施形態では上記ペルチェユニット６ａの一方の側（冷却側）のぺルチェ回路板１５の外側には更にアルミナや窒化アルミニウム等から成る高熱伝導性及び高耐電性の高い冷却用絶縁板１８を接続してペルチェ回路板１５の主体を構成する絶縁板、冷却用絶縁板１８で冷却部２５を構成し、他方の側（放熱側）のぺルチェ回路板１５の外側にアルミニウム等の金属から成る高熱伝導性の放熱部２４を接続している。
【００４３】
ハウジング２６は、ＰＢＴ樹脂やポリカーボネートやＰＰＳ樹脂等の絶縁材料を用いて両端が開口した筒状に形成すると共に、略中間部分に仕切り部１９を設けて背方に開口した収納室２１と、前方に開口した放電室２０とに仕切ってある。また、ハウジング２６の収納室２１の開口である背方側開口の縁部にはその全周に亘って連結用のフランジ部２２を突設するとともに、放電室２０の前方側開口にはリング状の対向電極２３を配設している。
【００４４】
ペルチェユニット６ａの放熱部２４を除く部分を収納室２１に収納し、この状態で上記放熱部２４の周縁部をフランジ部２２に固定して密封することで、ハウジング２６にペルチェユニット６ａに取付ける。
【００４５】
上記のようにハウジング２６をペルチェユニット６ａに取付ける際に、上記放電電極５を仕切り部１９に設けた孔に嵌め込んで放電電極５の後端部以外の部分を放電室２０内に位置させ、放電電極５の後端部の大径となった部分を収納室２１内に位置させることで、ハウジング２６の仕切り部１９とペルチェユニット６ａの冷却部２５とで放電電極５の後端部の大径となった部分を挟み込んで取付けてある。
【００４６】
ペルチェユニット６ａの冷却部２５に接続された放電電極５は、熱伝導性及び導電性の高い材料を用いて略棒状に形成してあって、ペルチェユニット６ａにより冷されて結露水を生成するようになっている。
【００４７】
放電電極５の先端の延長線上に上記対向電極２３のリング状の中心が位置するようになっている。
【００４８】
放電電極５には高電圧印加板２８が接続してあり、高電圧印加板２８が高電圧印加手段７に高圧リード線３３を介して接続して放電電極５に高電圧を印加するようになっている。添付図面に示す実施形態では、対向電極２３も高電圧印加手段７に接続してあり、高電圧印加手段７から放電電極５と対向電極２３との間に高電圧が印加されるようになっている。
【００４９】
ペルチェユニット６ａへの電源供給手段３５からの通電の制御、及び、放電電極５への高電圧印加手段７からの高電圧の印加は、静電霧化装置８に設けた制御手段１０により行われる。
【００５０】
上記の構成の静電霧化装置８は、熱電素子１６に対して通電を行うと、各熱電素子１６内において同一方向への熱の移動が生じ、ペルチェユニット６ａの冷却部２５が冷却される。冷却部２５が冷却されることで冷却部２５に接続した放電電極５が冷却され、放電電極５の周囲の空気が冷却されることで、空気中の水分が結露等により液化されて放電電極５の先端部に結露水が生成される。
【００５１】
上記のようにして放電電極５を冷却して放電電極５の先端部に結露水が保持された状態で、放電電極５の先端部に保持されている水に高電圧印加手段７により高電圧を印加する（例えば、放電電極５の先端部側がマイナス電極となって電荷が集中するように該放電電極５と対向電極との間に高電圧を印加する）と、放電電極５の先端部に保持される水が帯電し、帯電した水にクーロン力が働き、該水の液面が局所的に円錐形状（テイラーコーン）に盛り上がり、円錐形状となった水の先端に電荷が集中して電荷の密度が高密度となり、高密度の電荷の反発力ではじけるようにして水が分裂・飛散（レーリー分裂）して静電霧化を行い、ラジカルを有するナノメータサイズの帯電微粒子ミスト（マイナスイオンミスト）を発生させ、ハウジング２６の収納室２１の開口に設けた対向電極２３の中央の孔から帯電微粒子水が放出されるようになっている。
【００５２】
なお、上記実施形態においては、放電電極５を冷却して空気中の水分を該放電電極５に結露させることにより放電電極５に水を供給する水供給手段６として、ペルチェユニット６ａの例を示したが、水供給手段６としてはこれにのみ限定されず、例えば、従来から公知の種々の熱交換手段の冷却部で水供給手段６を構成してもよい。
【００５３】
図１に示す概略構成の静電霧化装置８は外郭を構成するケーシング８ａに内装される。ケーシング８ａには対向電極２３の中央の孔と連通する放出管２９が設けてあり、該放出管２９の先端開口が静電霧化装置８における帯電微粒子水の放出口となっている。
【００５４】
このような構成の静電霧化装置８は空調装置１の送風路９の外側に配設され、放出管２９の先端部が空調装置１の送風路９に連通接続してある。
【００５５】
空調コントローラ１１のオン・オフスイッチをオンにすると、静電霧化装置８も連動してオンとなるように設定してあり、このため、静電霧化装置８で上記のようにして発生させたナノメータサイズの帯電微粒子水を放出管２９の先端の放出口から送風路９内に放出すると、帯電微粒子水は送風路９内を流れる空調空気に混入し、空調空気に乗って流れることになる。
【００５６】
送風路９における帯電微粒子水が放出される部分（放出管２９の先端の連通接続部分）は、送風路９内における熱交換部２よりも下流側であり、送風路９の吹き出し口３の少し手前が好ましい。例えば、吹き出し口３の１０ｃｍから５０ｃｍ程度手前が好ましい。
【００５７】
上記のように送風路９に放出された帯電微粒子水は送風路９内で空調空気と混合され、空調空気の空気流に乗って吹き出し口３から室内（実施形態では車室内）に放出され、室内の空調を行うと共に、放出された帯電微粒子水は、ラジカル（スーパオキサイドやヒドロシキラジカル）が含まれているので、ラジカルには脱臭効果、除菌効果、アレルゲン不活性化効果、農薬分解効果等があり、室内の脱臭、除菌、アレルゲン不活性化、農薬分解等を行う。
【００５８】
また、上記ラジカルはナノメータサイズという極めて小さい帯電微粒子水に含まれているので、ナノメータサイズの帯電微粒子水は室内を長時間且つ室内の隅々まで浮遊し、脱臭、除菌、アレルゲンの不活性化等の作用を行うものであり、更に、ナノメータサイズの帯電微粒子水は室内に居る人、自動車の場合は車内にいる人の衣服やシートなどの内部に浸透して、衣服やシートの内部においても脱臭、除菌、アレルゲンの不活性化等を行うことができる。
【００５９】
ところで、上記のように静電霧化装置８で放電電極５に供給した水に高電圧を印加して放電により帯電微粒子水を生成すると、この際同時に放電電極５からオゾンが発生し、静電霧化装置で発生させた帯電微粒子水を送風路９に放出して空調空気に乗せて吹き出し口３から室内に放出する際、吹き出し口３からオゾンも同時に放出されることになる。
【００６０】
すなわち静電霧化装置８において発生するラジカルを含む帯電微粒子水の発生量、つまり、ラジカルの発生量は、放電電極５と対向電極２３との間に流れる電流の量に比例するが、このとき放電によりオゾンも同時に発生し、その量は図６に示すように放電電流値に比例することが分かっている。したがって、帯電微粒子水と共にオゾンが送風路９に放出されて、空調空気に乗せて吹き出し口３から室内に放出される。このように吹き出し口３から大量のオゾンが室内に放出されると、異臭等の発生原因となる。
【００６１】
そこで、本発明においては、空調装置１の運転時における吹き出し口３から室内に放出されるオゾン濃度を適正濃度となるように制御手段１０により制御することを特徴としている。
【００６２】
ここで、本発明におけるオゾンの適正濃度とは、不快なオゾン臭が無く、且つ、オゾンによる人体への悪影響を及ぼさないという条件を満たす最大濃度以下のできるだけ最大濃度に近いある設定濃度を適正濃度と定義する。
【００６３】
空調装置１の吹き出し口３から室内に放出されるオゾン濃度を適正濃度となるように制御する一例につき説明する。
【００６４】
図５には吹き出し口３から放出するオゾン濃度と風量との関係を示すグラフである。このグラフから分かるように、吹き出し口３を流れる空調空気の風量を上げると、オゾン濃度が低下することが分かる。したがって、本例では吹き出し口３を流れる空調空気の風量に対して放電電流値を制御することで、吹き出し口３から放出されるオゾン濃度が適正濃度となるように制御手段１０により制御するのである。
【００６５】
吹き出し口３の風量を求めるには幾つかの方法があるが、その一例としては、図１のように送風路９内に風量計３０を設け、風量計３０で送風路９内の風速を求めることで、吹き出し口３の風量を求めることができる。したがって、風量計３０で求めた風速情報を制御手段１０に入力し、速度の変化に対応して、風速が遅いと吹き出し口３から放出されるオゾン濃度が高くなるので、放電電流値を下げてオゾン濃度が適正濃度となるように制御手段１０により制御し、風速が速いと吹き出し口３から放出されるオゾン濃度が高くなるので、放電電流値を下げてオゾン濃度が適正濃度となるように制御手段１０により制御する。これにより、風速が変化しても吹き出し口３から放出されるオゾン濃度を適正濃度に維持でき、しかも、帯電微粒子水を風速に対応した最適の発生量（オゾン濃度を適正濃度に保つと言う条件下で最大の帯電微粒子水の発生量）とすることができる。
【００６６】
次に、図２に基づいて空調装置１の吹き出し口３から室内に放出されるオゾン濃度を適正濃度となるように制御する他例につき説明する。
【００６７】
本例では、空調装置１の風速（風量）調整に対応して放電電流値を制御するようにした例である。
【００６８】
空調コントローラ１１に設けた風速（風量）調整部２７は、風速（風量）の調整を行うためのものであって、風速（風量）調整部２７を操作することで（例えば、「低（Ｌｏ）」、「中（Ｍ）」、「高（Ｈｉ）」と切り替えることで）、空調装置１における風速（風量）の切り替え調整を行うことができるようになっている。そこで、風速（風量）調整部２７の切り換えの信号に基づいて静電霧化装置８の制御手段１０により、空調装置１における風速（風量）に対応した放電電流値となるように制御し、吹き出し口３から放出されるオゾン濃度を適正濃度に維持するようになっている。
【００６９】
図７には風速（風量）調整部２７と静電霧化装置８の放電電流値との関係を示したもので、風速（風量）調整部２７で遅い（少ない）風速（風量）に設定されている場合は、放電電流値を下げることで、発生する帯電微粒子水、オゾン量を減らし、速い（多い）風速（風量）に設定されている場合は、放電電流値を上げることで、発生する帯電微粒子水、オゾン量を増やすように制御手段１０により制御する。
【００７０】
これにより、風速（風量）調整部２７の切り換え調整をおこなっても、どの切り換え状態においても、吹き出し口３から放出されるオゾン濃度を適正濃度に維持でき、しかも、帯電微粒子水を風速（風量）調整部２７における各設定状態に対応した最適の発生量（オゾン濃度を適正濃度に保つと言う条件下で最大の帯電微粒子水の発生量）とすることができる。
【００７１】
ところで、空調装置１が自動車に車載するものの場合、空調装置１の送風路９の吸込み口１２からの空気の吸入が、室内空気の取り入れと室外空気の取り入れとを切り替え自在となっている。室内空気の取り入れと室外空気の取り入れの切り換えは、空調コントローラ１１に設けた取り入れ空気選択部３２を操作することにより行う。
【００７２】
空調装置１の吹き出し口３から室内に放出された帯電微粒子水はナノメータサイズと小さくしかも微粒子水であるため、室内を浮遊する時間が長いが、吹き出し口３から放出されたオゾンは室内で直ぐに酸素となり、しかも室内（車内）は密閉してあるため、室内は吹き出し口３の近く以外はオゾン濃度が０．０１ｐｐｍ以下となる。したがって、空調装置１において吸込み口１２から室内空気を取り入れて空調空気として吹き出し口３から室内に放出する室内空気循環運転の場合、室内は吹き出し口３の近く以外はオゾン濃度が０．０１ｐｐｍ以下となる。
【００７３】
一方、外気の場合は、オゾン濃度が環境により異なり、例えば、森林の中や紫外線の強い環境であれば、外気のオゾン濃度が０．０１ｐｐｍ〜０．０３１ｐｐｍとなる。したがって、空調装置１において吸込み口１２から外気を取り入れて空調空気として吹き出し口３から室内に放出する外気取り入れ運転の場合、室内は吹き出し口３の近く以外はオゾン濃度が０．０１ｐｐｍ〜０．０３１ｐｐｍとなる。
【００７４】
上記に基づき前述の各実施形態において、風量の変化に対応して放電電流値を制御するに当たり、空気選択部３２による室内空気の取り入れと室外空気の取り入れの切り換え信号が制御手段１０に入力される場合と、室内空気の取り入れの切り換え信号が制御手段１０に入力される場合とで、流速（流量）に対する放電電流値を変えて制御する。
【００７５】
例えば、流速（流量）に対する放電電流の基準値を室外空気を取り入れる運転の場合が、室内空気を取り入れる運転の場合よりも低くするように制御する。つまり、室外空気を取り入れる運転の場合は、室内空気を取り入れる運転の場合よりも、同一流速（流量）における放電電流値を低くする。
【００７６】
これにより、室外空気を取り入れる運転、室内空気を取り入れる運転のいずれにおいても、流速（流量）が変化しても、吹き出し口３から室内に放出されるオゾン濃度を適正化しつつ帯電微粒子の発生量を適正化することができる。
【００７７】
次に、本発明の更に他の実施形態を図３に示す。本実施形態においては、空調装置１の吹き出し口３にオゾン濃度センサ３１を設けて、該オゾン濃度センサ３１で吹き出し口３から放出されるオゾン濃度を検出し、オゾン濃度検出信号に基づいて制御手段１０により静電霧化装置８の放電電流値を制御するようになっている。
【００７８】
この実施形態においては、送風路９内を流れる空気の風速（風量）の変化や、外気取り入れ、室内空気の取り入れの切り換えに関らず、吹き出し口３から帯電微粒子水と共に吹き出されるオゾンの濃度を適正濃度に維持することができ、同時に帯電微粒子の発生量を適正量に制御することができる。
【００７９】
上記いずれの実施形態においても、オゾン濃度を適正値に維持するように放電電流値を制御するに当たり、放電電流値の計測手段を設けて、該計測する放電電流値が目標となる放電電流値となるように印加する高電圧値を制御することで、放電電流値を制御するようになっている。
【００８０】
もちろんこれにのみ限定されず、放電電流値を制御するに当たって、高電圧印加の時間にて行うようにしてもよい。つまり、高電圧印加にＰＷＭ（パルス幅変調）を用いて高電圧印加の時間により放電電流値を制御するようにしてもよい。
【００８１】
上記のように、本発明においてはいずれの実施形態においても、空調装置１の吹き出し口３から放出されるオゾン濃度を一定以下の適正濃度に維持して室内におけるオゾン臭などの悪影響がないようにしながら、帯電微粒子水の発生量を空調装置１のシステムの状態に応じて変化させてシステムの状態に対応した最適の発生量（オゾン濃度を適正濃度に保つと言う条件下で最大の帯電微粒子水の発生量）として、室内における脱臭、除菌、アレルゲンの抑制等の効果を最大限発揮することができる。
【００８２】
また、上記各実施形態においては、空調装置１の空調コントローラ１１のオン・オフスイッチをオンにすると、静電霧化装置８も連動してオンとなるようした例で説明したが、空調コントローラ１１に静電霧化装置８専用のオン・オフスイッチを設け、空調装置１のオン・オフと、静電霧化装置８のオン・オフとを独立して別々に行うことができるようにしてもよい。この場合は、吹き出し口３から空調空気のみを放出する場合、帯電微粒子水を含む空調空気を放出する場合、帯電微粒子水のみを放出する場合を選択することができる。
【００８３】
また、上記実施形態では、静電霧化装置８を備えた空調装置１の例として自動車に搭載する車載用の空調装置１の例で説明したが、建物の室内を空調するものであってもよいのはもちろんである。
【符号の説明】
【００８４】
１  空調装置
２  熱交換部
３  吹き出し口
５  放電電極
６  水供給手段
７  高電圧印加手段
８  静電霧化装置
９  送風路
１０  制御手段
１１  空調コントロールスイッチ
１２  吸込み口
【図１】
2010223553.tif 000003
【図２】
2010223553.tif 000004
【図３】
2010223553.tif 000005
【図４】
2010223553.tif 000006
【図５】
2010223553.tif 000007
【図６】
2010223553.tif 000008
【図７】
2010223553.tif 000009